(57)【要約】【課題】周囲の状況に応じた着信方法で報知する携帯通信端末を提供する。【解決手段】  センサと、音センサと、スピーカからの音や、着信ランプの光で着信を報知する報知器とを備えた携帯通信端末において、着信時に前記音センサで検知した音が低音にピークのある音の場合にスピーカからの着信音を中高音にピークのある音にし、低音にピークのある音ではない場合にスピーカからの音を低音にピークのある音にする制御手段を備えたので、着信時に、周りの音とは異なる周波数の音で報知して、ユーザに着信音を確実に認識させることができる。このため、大きな音量で報知したり、明るい点灯量で着信ランプを点灯させたりする必要がなく、着信時には、周囲の音と照度に応じた音や光で報知することができる。【選択図】      図７
2009005293.tif 000002
【特許請求の範囲】
【請求項１】
光センサと、音センサと、スピーカからの音や、着信ランプの光で着信を報知する報知器とを備えた携帯通信端末において、
着信時に前記音センサで検知した音が低音にピークのある音の場合にスピーカからの着信音を中高音にピークのある音に制御し、低音にピークのある音ではない場合にスピーカからの音を低音にピークのある音に制御する制御手段を備えたことを特徴とする携帯通信端末。
【請求項２】
前記制御手段は、前記スピーカからの音量を、着信時に前記音センサで検知した周囲の音量に比例した音量に設定することを特徴とする請求項1に記載の携帯通信端末。
【請求項３】
前記制御手段は、前記着信ランプの点灯量を、着信時に前記光センサで検知した周囲の照度に比例した点灯量に設定することを特徴とする請求項1又は２に記載の携帯通信端末。
【請求項４】
前記制御手段は、設定した音量及び／又は点灯量を徐々に増加させることを特徴とする請求項２又は３に記載の携帯通信端末。
【請求項５】
前記報知装置としての振動装置を備え、
前記制御手段は、この振動装置を、前記光センサで検知した照度が所定以下のときに動作させ、これ以外のときには動作停止に制御することを特徴とする請求項１乃至４の何れかに記載の携帯通信端末。
【請求項６】
前記制御手段の動作時間を設定する設定手段を備えたことを特徴とする請求項１乃至５の何れかに記載の携帯通信端末。
【請求項７】
光センサと、音センサと、スピーカからの音や、着信ランプの光で着信を報知する報知器とを備えた携帯通信端末の着信報知方法において、
着信時に前記音センサで周囲の音を検知する音検知ステップと、
この音検知ステップで検知した音が低音にピークのある音の場合にスピーカからの着信音を中高音にピークのある音に制御し、低音にピークのある音ではない場合にスピーカからの音を低音にピークのある音に制御する制御ステップと
を備えたことを特徴とする携帯通信端末の着信報知方法。
【請求項８】
着信時に前記音センサで周囲の音を検知する音量検知ステップと
スピーカからの音量を、前記音量検知ステップで検知した音量に比例した音量に設定する音量制御ステップと
を備えたことを特徴とする請求項７に記載の携帯通信端末の着信報知方法。
【請求項９】
着信時に前記光センサで周囲の光の照度を検知する照度検知ステップと、
着信ランプの点灯量を、前記照度検知ステップで検知した照度に比例した量に設定する点灯量制御ステップと
を備えたことを特徴とする請求項７又は８に記載の携帯通信端末の着信報知方法。
【請求項１０】
設定した音量及び／又は点灯量を徐々に増加させる制御ステップを備えたことを特徴とする請求項８又は９に記載の携帯通信端末の着信報知方法。
【請求項１１】
前記報知装置として動作する振動装置を備え、
この振動装置を、前記光センサで検知した照度が所定以下のときに動作させ、これ以外のときには動作停止に制御する制御ステップ
を備えたことを特徴とする請求項７乃至１０の何れかに記載の携帯通信端末。
【請求項１２】
前記各制御ステップの動作時間を設定する動作時間設定ステップを備えたことを特徴とする請求項７乃至１１の何れかに記載の携帯通信端末の着信報知方法。
【発明の詳細な説明】
【技術分野】
【０００１】
この発明は、光センサと音センサとを備えた携帯通信端末及びこの端末の着信報知方法に関する。
【背景技術】
【０００２】
光センサと音センサとを備えた通信端末は、例えば、特開２０００−１６５４８０号公報に記載のものがある（特許文献1参照）。この公報に記載のものは、光センサと音センサの両センサからの検知結果によって、着信時における呼出音に関して、その音量と呼出時間とを制御するものであった。
【０００３】
また、光センサと音センサとを備えた携帯通信端末としては、特開平１１−０６８８８８号公報に記載されたものがあり（特許文献２参照）、この公報に記載のものは、検知した明度が低い場合は、着信時の呼出音量を大に制御し、明度が高くなるように変化すると、呼出音量を小に制御するものであった。
【０００４】
【特許文献１】特開２０００−１６５４８０号公報
【特許文献２】特開平１１−０６８８８８号公報
【発明の開示】
【発明が解決しようとする課題】
【０００５】
しかしながら、前記特許文献1に記載の通信端末は、音センサで検知した音が、設定レベルより高い場合は着信時の呼出音量を大きく、かつ、その放音時間を長くするものであり、この場合、光センサからの検知は、その制御に活用されていないものであった。このため、備えているセンサの一部の情報しか制御に利用しておらず、周囲の状況に応じた制御とは必ずしも言えないものであった。
【０００６】
また、検知した音が設定レベルより低い場合は、光センサで検知した照度が設定レベル以上か、未満かを判断し、低いときは、放音量を小にして、放音時間を設定時間より短くするものであるが、この場合も、音だけを制御するものあった。このため、報知装置として着信ランプやバイブレータ機能を備えている携帯通信端末には適用する場合については、その制御方法について何ら開示されておらず、この発明を基に、携帯情報端末の制御方法を発明することは、非常に困難であった。
【０００７】
また、特許文献２に記載のものは、携帯通信端末を鞄に入れているときに適した制御といえるものの、夜間等、照度を低下させている場合や、就寝している場合には、着信時の呼出音量が大きいため、ユーザを驚かせるような報知となり、周囲の状況に応じた報知とは、必ずしも言えなかった。
【０００８】
この発明は、上記課題を解決するものであって、着信時の報知を周囲の音や光の状況に応じたものとできる携帯通信端末を提供するものである。
【課題を解決するための手段】
【０００９】
本発明は上記課題を解決するためのものであって、本発明の第1の携帯通信端末は、
光センサと、音センサと、スピーカからの音や、着信ランプの光で着信を報知する報知器とを備えた携帯通信端末において、
着信時に前記音センサで検知した音が低音にピークのある音の場合にスピーカからの着信音を中高音にピークのある音に制御し、低音にピークのある音ではない場合にスピーカからの音を低音にピークのある音に制御する制御手段を備えたものである。
【００１０】
また、本発明の第２の携帯通信端末は、
前記制御手段が、前記スピーカからの音量を、着信時に前記音センサで検知した周囲の音量に比例した音量に設定するものである。
【００１１】
また、本発明の第３の携帯通信端末は、
前記制御手段が、前記着信ランプの点灯量を、着信時に前記光センサで検知した周囲の照度に比例した点灯量に設定するものである。
【００１２】
また、本発明の第４の携帯通信端末は、
前記制御手段が、設定した音量及び／又は点灯量を徐々に増加させるものである。
【００１３】
また、本発明の第５の携帯通信端末は、
前記報知装置として動作する振動装置を備え、
この振動装置を、前記光センサで検知した照度が所定以下のときに動作させ、これ以外のときには動作停止に制御する制御ステップを備えたものである。
【００１４】
また、本発明の第６の携帯通信端末は、
前記制御手段の動作時間を設定する設定手段を備えたものである。
【００１５】
また、本発明の第１の携帯通信端末の着信報知方法は、
光センサと、音センサと、スピーカからの音や、着信ランプの光で着信を報知する報知器とを備えた携帯通信端末の着信報知方法において、
着信時に前記音センサで周囲の音を検知する音検知ステップと、
この音検知ステップで検知した音が低音にピークのある音の場合にスピーカからの着信音を中高音にピークのある音に制御し、低音にピークのある音ではない場合にスピーカからの音を低音にピークのある音に制御する制御ステップと
を備えたものである。
【００１６】
また、本発明の第２の携帯通信端末の着信報知方法は、
着信時に前記音センサで周囲の音を検知する音量検知ステップと
スピーカからの音量を、前記音量検知ステップで検知した音量に比例した量に設定する音量制御ステップと
を備えたものである。
【００１７】
また、本発明の第３の携帯通信端末の着信報知方法は、
着信時に前記光センサで周囲の光の照度を検知する照度検知ステップと、
ランプの点灯量を、前記照度検知ステップで検知した照度に比例した量に設定する点灯量制御ステップと
を備えたものである。
【００１８】
また、本発明の第４の携帯通信端末の着信報知方法は、
設定した音量及び／又は点灯量を徐々に増加させる制御ステップを備えたものである。
【００１９】
また、本発明の第５の携帯通信端末の着信報知方法は、
前記報知装置として動作する振動装置を備え、
この振動装置を、前記光センサで検知した照度が所定以下のときに動作させ、これ以外のときには動作停止に制御する制御ステップを備えたものである。
また、本発明の第６の携帯通信端末の着信報知方法は、
前記各制御ステップの動作時間を設定する動作時間設定ステップを備えたものである。
【発明の効果】
【００２０】
このように構成された本発明によれば、次に記載するような効果を奏する。
【００２１】
この携帯通信端末及びこの端末の着信報知方法によれば、着信時に音センサで検知した音が低音にピークのある音の場合にスピーカからの着信音を中高音にピークのある音にし、低音にピークのある音ではない場合にスピーカからの音を低音にピークのある音にするので、周りの音とは異なる周波数の音で報知し、ユーザに着信音を確実に認識させることができる。このため、大きな音量で報知したり、明るい点灯量で着信ランプを点灯させたりしなくてもユーザに着信音を認識させることができ、着信時には、周囲の音と照度に応じた音量や点灯量で報知することができる。
【発明を実施するための最良の形態】
【００２２】
本発明の実施例を図面に基づき説明する。
【００２３】
図1は本発明を適用した携帯通信端末を示す正面図、図２は同携帯通信端末の機能ブロック図である。
【００２４】
図１において、１０１は携帯通信端末で、この実施例では携帯電話に適用した例で説明する。尚、携帯通信端末のその他の適用例としては、ＰＨＳ（Personal Handy-phone System）やＰＤＡ（Personal Digital Assistants、個人用携帯情報端末）等が考えられる。
【００２５】
１０２は表示部で、この表示部は液晶表示器を使用している。１０３は入力用のキー操作部で、このキー操作部１０３は数字キーや各種の機能キーや十字キーで構成されている。１０４は受話用のレシーバ、１０５は送話用のマイク、１０６はスピーカである。このスピーカ１０６は、着信音を発するためのものである。また、着信を報知するための着信ランプも備えているが、この図の背面側に位置するため、示していない。また、この着信ランプは、点灯時は３段階の明るさに制御され、この明細書や図６等では、明るい方から明点灯、中点灯、暗点灯と記している。
【００２６】
図２に示す２０１は光センサで、携帯通信端末１０１の周囲の照度を検知するものである。２０２は音センサで、携帯通信端末１０１の周囲の音量や音圧や周波数も検知するものである。２０３は無線部で、基地局を介して無線通信を行うためのものである。２０４はＲＴＣ（Real Time Clock）部で、マザーボード上に実装されている計時専用のチップであり、他のマザーボード上のチップと違って、電源が切られている間も内蔵電池から電源供給を受けて動作している。２０５はＣＰＵ（Central Processing Unit、中央処理装置）で、携帯通信端末１０１の各部を制御するためのものであり、また、各種機能を実現するためのものである。
【００２７】
２０６はメモリで、電話帳や通話履歴や制御プログラム等を記憶するものである。２０７は表示制御部で、表示部１０２の表示を制御するものである。２０８はＳＰ制御部で、スピーカ１０６の発する音を制御するものである。２０９はＶＩＢ制御部で、振動装置２１０の振動を制御するものである。２１１はＬＥＤ駆動部で、着信ランプ２１２の点灯を制御するものである。尚、この着信ランプ２１２はＬＥＤ（Light Emitting Diode、発光ダイオード）を使用しており、この着信ランプ２１２とスピーカ１０６と振動装置２１０は何れも報知器として使用される。
【００２８】
前記ＣＰＵ２０５は、各部と協働して制御手段や設定手段を実現する。このＣＰＵ２０５は、例えば、音センサ２０２からの検知結果を入力して、着信時に前記音センサ２０２で検知した音が低音にピークのある音の場合にスピーカ１０６からの着信音を中高音にピークのある音にし、低音にピークのある音ではない場合にスピーカ１０６からの音を低音にピークのある音にする制御手段として機能したり、スピーカ１０６からの音量を、着信時に前記音センサ２０２で検知した周囲の音量に比例した音量に設定する制御手段として機能したりする。また、このＣＰＵ２０５は、光センサ２０１からの検知結果を入力して、前記着信ランプ２１２の点灯量を、着信時に前記光センサ２０１で検知した周囲の照度に比例した点灯量に設定する制御手段として機能したり、設定した音量及び／又は点灯量を徐々に増加させる制御手段として機能したりする。更に、このＣＰＵ２０５は、キー操作部１０３からのキー入力を受け、前記制御手段の動作時間を設定するための設定手段としても機能する。
【００２９】
図３は携帯通信端末に適用される音のパターン毎の周波数と周囲音圧との関係を示す説明図、図４は携帯通信端末に適用される動作モードと周囲音圧との関係を示す説明図、図５は携帯通信端末に適用される動作モードと照度との関係を示す説明図、図６は同携帯通信端末の着信時の各モードにおける着信音、着信ランプ、振動装置の動作状態を示す説明図である。
【００３０】
図３に示す３０１や３０２は周波数特性を示し、両周波数特性３０１、３０２は音センサで着信時に検知した音の周波数特性である。周波数特性３０１は、低音にピークがある周波数特性で、Mode Lと設定している。また、周波数特性３０２は、中高音にピークがある周波数特性でMode Mと設定している。周囲の音がMode Lのような音のときは、中音や高音にピークがある音で報知すると、ユーザは着信音に気づき易く、また、周囲の音がMode Mのような音のときは、低音にピークがある音で報知すると、ユーザは着信音に気づき易い。
【００３１】
図４において、本発明では着信時に音センサが検知した周囲音圧の小さい方から大きい方にかけて、即ち、静かなときから騒がしいときにかけて、Mode A、Mode B、Mode Cと３つのモードを設定している。そして、これらのModeに対応して報知方法を変更している。
【００３２】
図５において、本発明では着信時に光センサが検知した照度の小さい方から大きい方へかけて、即ち、暗いときから明るいときにかけて、Mode X、Mode Y、Mode Zと３つのモードを設定している。そして、上記のModeと同様に、これらのModeに対応して報知方法を変更している。
【００３３】
図６において、本発明では、着信時における音センサ２０２の検知により、Mode LとMode Mとに分け、また、Mode AとMode BとMode Cとに分け、更に、光センサ２０１の検知により、Mode XとMode YとMode Zとに分けて、着信音（音量と周波数特性とを含む）と、振動装置２１０と、着信ランプ２１２とを制御している。
【００３４】
一例を説明すると、着信があると、最初に音センサにより図３に示した周波数特性のうちどちらに近いかを判断し、Mode Lか Mode Mかに分ける、そして、検知した周囲の音によって図４に示すMode AかMode BかMode Cかの何れかに該当するか判断する。更に、検知した照度によって、図５に示すMode XとMode YとMode Zとの何れかに該当するか判断し、その種分けしたModeにおける着信制御が実行される。
【００３５】
この図６に示すもので説明すると、例えば、最初に、Mode LとMode MとのうちMode Lと判断され、更に、Mode AとMode BとMode CとのうちMode Cと判断され、そして、Mode XとMode YとMode ZとのうちMode Zと判断された場合の制御は、着信制御６０１が実行される。即ち、この着信時は、着信音は中高音にピークのある音に、振動装置２１０はＯＦＦに、そして、着信ランプ２１２は明点灯に制御される。
【００３６】
このように構成された携帯通信端末１０１の着信時の動作について、図７、図８、図９のフローチャートに沿って説明する。尚、図７は携帯通信端末の着信時の動作を示すフローチャート、図８や図９は同携帯通信端末の図７の続きを示すフローチャートである。
【００３７】
最初に、ステップ７０１（以下、「ステップ」をＳと記す）で着信の有無を検知する。Ｓ７０１で着信を検知すると、Ｓ７０２で、音センサ２０２と光センサ２０１とで、音と照度とを検知する。そして、この検知した音がＳ７０３でMode Lに該当するか否かを判断し、Mode Lに該当しない場合は、Mode Mに該当するため、制御がＳ７１５に進み、Mode Mの制御を行う。Mode Lに該当する場合は、制御が次のＳ７０４に進む。
【００３８】
Ｓ７０４では、検知した音がMode Aに該当するか否かを判断する。Mode Aに該当しない場合は、次にＳ７０５で検知した音がMode Bに該当するか否かを判断する。Mode Bに該当しない場合は、Mode Cであると必然的に決定し、制御がＳ７０６に進む。
【００３９】
Ｓ７０６では、光センサ２０１での検知に応じて、検知した照度がMode Xに該当する照度か否かを判断する。Mode Xに該当しない場合は、次にＳ７０７で検知した照度がMode Yに該当するか否かを判断する。Mode Yに該当しない場合は、Mode Zであると必然的に決定し、制御がＳ７０８に進む。Ｓ７０８では、着信音と振動装置２１０と着信ランプ２１２とを制御する。このＳ７０８では、Mode LのときにMode Cであり、更にMode Zである場合の制御となり、着信音が中高音にピークのある音に制御され、振動装置２１０がＯＦＦ制御され、着信ランプ２１２が明点灯に制御される。
【００４０】
そして、ユーザが電話に出ると、Ｓ７０９でオフフックが検知され、制御がＳ７１０に進み、着信音が停止され、振動装置２１０がＯＦＦに制御され、着信ランプ２１２が消灯制御される。
【００４１】
Mode Lであり、かつMode Cであることが決定された場合において、Ｓ７０６でMode Xに該当すると判断された場合は、制御がＳ７１１に進み、着信音が中高音にピークのある音に制御され、振動装置２１０がＯＮに制御され、着信ランプが暗点灯に制御される。そして、ユーザが電話に出ると、Ｓ７１２でオフフックが検知され、制御がＳ７１０に進み、着信音が停止され、振動装置２１０がＯＦＦに制御され、着信ランプが消灯制御される。
【００４２】
Mode Lであり、かつMode Cであることが決定された場合において、Ｓ７０７でMode Yに該当すると判断された場合は、制御がＳ７１３に進み、着信音が中高音にピークのある音に制御され、振動装置２１０がＯＮに制御され、着信ランプが中点灯に制御される。そして、ユーザが電話に出ると、Ｓ７１４でオフフックが検知され、制御がＳ７１０に進み、着信音が停止され、振動装置２１０がＯＦＦに制御され、着信ランプ２１２が消灯制御される。
【００４３】
また、Mode Lと判断され、更にＳ７０４でMode Aと判断された場合は、制御が図８に示すＳ８０６に進み、また、Ｓ７０５でMode Bと判断された場合は、制御が図９に示すＳ９０６に進む。
【００４４】
この図８のＳ８０６〜Ｓ８１４の制御と、図９のＳ９０６〜Ｓ９１４の制御とは、図７に示すＳ７０６〜Ｓ７１４の制御に対応しているので、簡単に説明する。異なる部分は夫々の図で３カ所有り、図７のＳ７０８、Ｓ７１１、Ｓ７１３に対応した着信制御が、図８ではＳ８０８、Ｓ８１１、Ｓ８１３になっている点が異なり、また、図９ではＳ９０８、Ｓ９１１、Ｓ９１３になっている点が異なる。
【００４５】
図８に示すＳ８０６でMode Xに該当しないと判断され、更にＳ８０７でMode Yに該当しないと判断されると、Mode Zに該当すると必然的に決定され、Ｓ８０８で着信音が中高音にピークのある音で音量が小から大へと徐々に大きくなるように制御され、振動装置２１０がＯＦＦに制御され、着信ランプ２１２が明点灯に制御される。この着信制御中に、ユーザが電話に出て、Ｓ８０９でオフフックが確認されると、Ｓ８１０で着信音と振動装置２１０と着信ランプ２１２とが停止制御される。この小から大へと徐々に大きくなるようにする制御とは、ユーザを驚かせないように、また、ユーザが気づき易いようにするために、音量を、小から中へ、そして大へと、音量を段階的に、あるいは連続的に徐々に上げていくような制御である。
【００４６】
また、Ｓ８０６でMode Xに該当すると判断されると、Ｓ８１１で着信音が中高音にピークのある音で音量が小から大へと徐々に大きくなるように制御され、振動装置２１０がＯＮに制御され、着信ランプ２１２が暗点灯に制御される。この着信制御中に、ユーザが電話に出て、Ｓ８１２でオフフックが確認されると、Ｓ８１０で着信音と振動装置２１０と着信ランプ２１２１とが停止制御される。
【００４７】
更に、Ｓ８０７でMode Yに該当すると判断されると、Ｓ８１３で着信音が中高音にピークのある音で音量が小から大へと徐々に大きくなるように制御され、振動装置２１０がＯＮに制御され、着信ランプ２１２が中点灯に制御される。この着信制御中に、ユーザが電話に出て、Ｓ８１４でオフフックが確認されると、Ｓ８１０で着信音と振動装置２１０と着信ランプ２１２とが停止制御される。
【００４８】
図９に示すＳ９０６でMode Xに該当しないと判断され、更にＳ９０７でMode Yに該当しないと判断されると、Mode Zに該当すると必然的に決定され、Ｓ９０８で着信音が中高音にピークのある音に制御され、振動装置２１０がＯＦＦに制御され、着信ランプ２１２が明点灯に制御される。この着信制御中に、ユーザが電話に出て、Ｓ９０９でオフフックが確認されると、Ｓ９１０で着信音と振動装置２１０と着信ランプ２１２とが停止制御される。
【００４９】
また、Ｓ９０６でMode Xに該当すると判断されると、Ｓ９１１で着信音が中高音にピークのある音に制御され、振動装置２１０がＯＮに制御され、着信ランプ２１２が暗点灯に制御される。この着信制御中に、ユーザが電話に出て、Ｓ９１２でオフフックが確認されると、Ｓ９１０で着信音と振動装置２１０と着信ランプ２１２とが停止制御される。
【００５０】
更に、Ｓ９０７でMode Yに該当すると判断されると、Ｓ９１３で着信音が中高音にピークのある音に制御され、振動装置２１０がＯＮに制御され、着信ランプが中点灯に制御される。この着信制御中に、ユーザが電話に出て、Ｓ９１４でオフフックが確認されると、Ｓ９１０で着信音と振動装置２１０と着信ランプ２１２とが停止制御される。
【００５１】
尚、図７に示すＳ７１５でのMode Mの制御については、そのフローチャートの図示を省略する。
【００５２】
その図示を省略したMode Mの制御について、着信制御の着信音と振動装置２１０と着信ランプ２１２との制御に関して、図６に沿って簡単に説明する。
【００５３】
Mode Mであり、かつMode Aと判断され、更にMode Xと判断された場合は、着信音を中高音にピークのある音にすると共に、音量を小から大へと徐々に大きくなるように制御し、振動装置２１０をＯＮとし、着信ランプ２１２を暗点灯と制御する（着信制御６０２参照）。
【００５４】
また、Mode Mであり、かつMode Aと判断され、更にMode Yと判断された場合は、着信音を中高音にピークのある音にすると共に、音量を小から大へと徐々に大きくなるように制御し、振動装置２１０をＯＮとし、着信ランプ２１２を中点灯に制御する（着信制御６０３参照）。
【００５５】
また、Mode Mであり、かつMode Aと判断され、更にMode Zと判断された場合は、着信音を中高音にピークのある音にすると共に、音量を小から大へと徐々に大きくなるように制御し、振動装置２１０をＯＦＦとし、着信ランプ２１２を明点灯に制御する（着信制御６０４参照）。
【００５６】
尚、Mode Mにおいて、Mode BやMode Cと判断された場合の着信制御については、この図６を見ると判るので、その説明を省略する。
【００５７】
このように構成され、動作する携帯通信端末によれば、着信時に前記音センサ２０２で検知した音が低音にピークのある音の場合（Mode Lの場合）にスピーカ１０６からの着信音を中高音にピークのある音にし、低音にピークのある音ではない場合（Mode Mの場合）にスピーカ１０６からの音を低音にピークのある音にする制御手段を備えたので、着信時に、周りの音とは異なる周波数の音で報知するので、大きな音量で報知したり、明るい点灯量で着信ランプ２１２を点灯させたりすることなく、ユーザに着信音を認識させることができる。このため、着信時には、周囲の音と照度に応じた音や光で報知することができ、ユーザを驚かせたりするようなことを、極力避けた着信報知となっている。即ち、スピーカ１０６からの報知を、周囲の音が小さい（静かな）場合は、小さな音で行い、周囲の音が大きい（騒がしい）場合は、大きな音で行い、周囲の音の状況に応じた着信音で報知する。また、着信ランプ２１２の点灯を、周囲の照度が小さい（暗い）場合は、暗い点灯量で行い、周囲の照度が大きい（明るい）場合は、明るい点灯量で行い、周囲の照度の状況に応じた点灯量で報知する。
【００５８】
また、Mode Aの場合、つまり周りが静かな場合、その着信時における周囲の音に比例した小さな音で開始し、徐々に音量を上げるような制御を行っているので、着信時の報知に気づかなかったユーザも、驚いたりすることなしに着信に気づく。このため、ユーザにも、ユーザの周囲に居る人も、驚かせたり、不快な思いをさせたりしにくい着信報知方法となっている。
【００５９】
尚、この実施例では、音だけを徐々に増加させる制御としているが、着信ランプ２１２の点灯量や、振動装置２１０の振動量も、同様に、徐々に増加させる制御としても構わない。
【００６０】
また、このように、光センサ２０１や音センサ２０２によって、着信時の周囲の状況を検知し、その周囲の状況に応じた報知方法を自動的に実施するため、ユーザがマニュアル操作で、着信時のモードを設定していたものと比べて、ユーザの操作を極力抑えることができるので、ユーザにとって使い勝手の良い携帯通信端末１０１とすることができる。
【００６１】
また、本発明の携帯通信端末１０１によれば、着信時の周囲の状況を検知し、その周囲の状況に応じた報知方法を自動的に実施する。このため、周囲の音が小さいときには、着信時の着信音を小さく設定し、また、周囲が暗ければ、着信時の着信ランプ２１２を暗点灯に制御するので、自動的に低電力の制御になり、省エネルギーに寄与すると共に、バッテリーの使用時間を長くすることができる。
【００６２】
この発明による携帯通信端末１０１の動作は以上の通りであるが、このような制御（以下、「着信報知モード」という）を一定の時間だけ設定できる機能を備えていれば、更に、多様なユーザの要望に対応できると考えられる。この場合、制御装置を、本発明の着信報知モードの制御をある一定時間の範囲だけ動作させるような構成とすると共に、ユーザがその一定時間を任意に設定できる設定手段を備えることにより実現できる。
【００６３】
この異なる実施例においても、構成に関しては図１や図２に示すものと同じであるため、その図示や説明を省略する。尚、構成が同じで済む理由は、ソフトウェアによって、時間を設定する設定手段の機能や、着信報知モードを特定の時間だけ動作させる制御手段の機能を実現しているからである。
【００６４】
図１０は本発明の異なる実施例の動作を示すフローチャート、図１１は本発明の携帯通信端末の動作時間帯等を設定する画面を示す説明図である。
【００６５】
次に、このように構成された異なる実施例の携帯通信端末１０１の動作について説明する。
【００６６】
この異なる実施例は、本発明の着信報知モードを、その希望する時間を設定できる点である。この時間とは、例えば、何時何分から何時何分までのような時間帯や、現在時刻から何時間何分後までの時間である。
【００６７】
この異なる実施例の携帯通信端末１０１の使用状態について説明すると、まず、Ｓ１００１で着信の有無を検知する。着信があると、次に、Ｓ１００２でユーザが時間帯や継続時間を希望しているかどうか判断する。この判断は、図１１で説明するようにユーザが時間帯や継続時間を設定しているか、否かで判断する。
【００６８】
ユーザが時間帯又は継続時間を設定して、Ｓ１００２でＹｅｓと判断されると、Ｓ１００３でユーザが設定した時間帯又は継続時間を読み出す。そして、Ｓ１００４で、現在、ユーザが設定した時間帯又は継続時間内に入っているか否かを判断する。時間帯又は継続時間内に入っている場合は、Ｓ１００５で本発明の着信報知モードで報知を行う。この報知は、図６に示す報知や、図７、図８、図９に示す動作フローによって行われる。ただし、図７のＳ７０１、Ｓ７０９、Ｓ７１０、Ｓ７１２、Ｓ７１４、図８のＳ８０９、Ｓ８１０、Ｓ８１２、Ｓ８１４、図９のＳ９０９，Ｓ９１０、Ｓ９１２、Ｓ９１４の制御は、この図１０に記載の動作フローと重複しているため対象外であり、実行されない。
【００６９】
本発明の着信報知モードにより報知されている間に、ユーザが電話に出て、Ｓ１００６でオフフックが確認されると、Ｓ１００７で着信音と振動装置２１０と着信ランプ２１２とが停止制御される。
【００７０】
Ｓ１００２でユーザが時間帯や継続時間を希望していないと判断された場合や、Ｓ１００４で、ユーザが設定した時間帯や継続時間から外れていると判断された場合は、制御がＳ１００８に移り、設定されている着信モードで報知される。この設定されている着信モードというのは、通常の着信モードかマナーモードかの何れかユーザによって設定されているモードである。そして、この設定されている着信モードで報知されている間に、ユーザが電話に出て、Ｓ１００９でオフフックが確認されると、Ｓ１００７で着信音と振動装置２１０と着信ランプ２１２とが停止制御される。
【００７１】
次に、図１１に基づいて、携帯通信端末１０１の時間帯や継続時間を設定する方法について説明する。
【００７２】
ユーザが時間帯や継続時間を設定したい場合は、キー操作により図１１に示す画面１１０１を表示する。そして、この画面１１０１のメニュー画面に基づき操作することにより、ユーザが時間帯や、現在からの継続時間を設定する。
【００７３】
時間帯を設定する場合は、画面１１０１の「２．本発明の着信報知モードを設定します。（時間帯設定）」を選択し、ＯＫキーを押下する。すると、時間帯設定用の画面１１０２が表示される。この画面１１０２で、十字キーや数字キーを使用して、入力部１１０４、１１０５で時間帯を設定し、ＯＫキーを押下する。これで、時間帯が設定される。
【００７４】
また、現時点からの継続時間を設定する場合は、画面１１０１の「３．本発明の着信報知モードを設定します。（現在から一定時間設定します。）」を選択し、ＯＫキーを押下する。すると、継続時間設定用の画面１１０３が表示される。この画面１１０３で、十字キーや数字キーを使用して、入力部１１０６で時間を設定し、ＯＫキーを押下すると、継続時間が設定される。このように、ユーザが時間帯か継続時間かを設定した場合、図１０のＳ１００２でＹｅｓと判断される。
【００７５】
また、時間帯や継続時間を解除したい場合は、図１１の画面１１０２の「４．マナーモード／本発明の着信モードを解除します。」を選択し、ＯＫキーを押下する。
【００７６】
このように、本発明の着信報知モードを、勤務時間中や勤務時間外等のユーザの希望する時間帯に動作させることができ、また、今から会議の終了予定時刻までや、今から電車に乗る時間だけのように、現在時刻から継続時間も設定できるので、様々なユーザの要望に応じて、本発明の着信報知モードを設定できるので、ユーザの使い勝手を非常に向上させることができる。
【図面の簡単な説明】
【００７７】
【図１】本発明の携帯通信端末を示す正面図である。
【図２】同携帯通信端末の機能ブロック図である。
【図３】同携帯通信端末に適用される音のパターン毎の周波数と周囲音圧との関係を示す説明図である。
【図４】同携帯通信端末に適用される動作モードと周囲音圧との関係を示す説明図である。
【図５】同携帯通信端末に適用される動作モードと照度との関係を示す説明図である。
【図６】同携帯通信端末の着信時の各モードにおける着信音、着信ランプ、振動装置の動作状態を示す説明図である。
【図７】同携帯通信端末の着信時の動作を示すフローチャートである。
【図８】同携帯通信端末の図７の続きを示すフローチャートである。
【図９】同携帯通信端末の図７の続きを示すフローチャートである。
【図１０】本発明の異なる実施例の動作を示すフローチャートである。
【図１１】本発明の携帯通信端末の動作時間帯等を設定する画面を示す説明図である。
【符号の説明】
【００７８】
１０１    携帯通信端末
１０２    表示部
１０３    キー操作部
１０４    レシーバ
１０５    マイク
１０６    スピーカ
２０１    光センサ
２０２    音センサ
２０３    無線部
２０４    ＲＴＣ部
２０５    ＣＰＵ
２０６    メモリ
２０７    表示制御部
２０８    ＳＰ制御部
２０９    ＶＩＢ制御部
２１０    振動装置
２１１    ＬＥＤ駆動部
２１２    着信ランプ
３０１    周波数特性
３０２    周波数特性
６０１    着信制御
６０２    着信制御
６０３    着信制御
６０４    着信制御
１１０１    画面
１１０２    画面
１１０３    画面
１１０４    入力部
１１０５    入力部
１１０６    入力部
【図１】
2009005293.tif 000003
【図２】
2009005293.tif 000004
【図３】
2009005293.tif 000005
【図４】
2009005293.tif 000006
【図５】
2009005293.tif 000007
【図６】
2009005293.tif 000008
【図７】
2009005293.tif 000009
【図８】
2009005293.tif 000010
【図９】
2009005293.tif 000011
【図１０】
2009005293.tif 000012
【図１１】
2009005293.tif 000013